(57)【要約】【課題】本発明は新型のパワーバッテリー装置を開示した。【解決手段】ボディに固定に取付けられる取付箱、引き部品とパワーバッテリー部品を含み、前記取付箱の右側の端面に収納溝が設置され、前記引き部品が前記収納溝にスライドし係合し接続され、前記収納溝の底壁に左側に伸びる駆動溝が設置され、前記駆動溝に前記引き部品と動力で係合し接続される駆動構造が設置され、前記収納溝の左側壁に第一溝が設置され、前記第一溝の下側にある前期収納溝の左側壁に第二溝が設置され、前記第二溝の底部の末端が前記駆動溝と連通し設置され、前記第二溝の左側壁に第三溝が連通し設置され、前記第一溝の左側壁に上下に伸びる押しスライド筐体が連通し設置され、前記押しスライド筐体の底部の末端が前記第三溝の頂部の末端との相対位置にあり、前記押しスライド筐体に押しスライドブロックがスライドし係合し接続される。【選択図】図1
2019207851.tif 000002
【特許請求の範囲】
【請求項１】
新型のパワーバッテリー装置は、ボディに固定に取付けられる取付箱、引き部品とパワーバッテリー部品を含み、その特徴は：前記取付箱の右側の端面に収納溝が設置され、前記引き部品が前記収納溝にスライドし係合し接続され、前記収納溝の底壁に左側に伸びる駆動溝が設置され、前記駆動溝に前記引き部品と動力で係合し接続される駆動構造が設置され、前記収納溝の左側壁に第一溝が設置され、前記第一溝の下側にある前期収納溝の左側壁に第二溝が設置され、前記第二溝の底部の末端が前記駆動溝と連通し設置され、前記第二溝の左側壁に第三溝が連通し設置され、前記第一溝の左側壁に上下に伸びる押しスライド筐体が連通し設置され、前記押しスライド筐体の底部の末端が前記第三溝の頂部の末端との相対位置にあり、前記押しスライド筐体に押しスライドブロックがスライドし係合し接続され、前記押しスライドブロックの右側の端面に斜面押し溝が設置され、前記押しスライド筐体と前記第三溝の間に上下に伸びる第一ねじボルトが回転し係合し接続され、前記第一ねじボルトの頂部の末端が前記押しスライド筐体に挿入するかつ前記押しスライドブロックの底部の端面とねじで係合し接続され、前記第一ねじボルトの底部の末端に前記第三溝に挿入する第一段車が固定に設置され、前記第一溝にスライドブロックがスライドし係合し接続され、前記スライドブロックの右側の端面に接続溝が設置され、前記接続溝の左側壁に左に伸びるスルー溝が連通し設置され、前記スルー溝の左側の伸長末端が前記スライドブロックの左側の端面を貫通するかつ前記斜面押し溝と連通し設置され、  前記スルー溝にケーブル接続スライドブロックがスライドし係合し接続され、前記ケーブル接続スライドブロックの左側の末端に前記斜面押し溝に挿入するかつ圧されてスライドし係合し接続される斜面抵抗スライドブロックが固定に設置され、前記スルー溝の後側の前記スライドブロックに上下に伸びる導滑レバーがスライドし係合し接続され、前記スライドブロックの上側の前記導滑レバーの外表面に第一ばねが囲んで設置され、前記スルー溝の頂壁に案内溝が連通し設置され、前記案内溝に前記ケーブル接続スライドブロックと固定に係合し接続される案内ブロックがスライドし係合し接続され、前記案内ブロックの右側の前記案内溝に第二ばねが圧されて係合し接続され、前記引き部品の頂壁の端面に昇降シュートが設置され、前記昇降シュートの左側の前記引き部品の頂壁の端面に凸部が固定に設置され、前記昇降シュートの右側の前記引き部品の頂壁の端面に自己ロックシュートが設置され、前記自己ロックシュートに自己ロック構造が設置され、前記昇降シュートに昇降スライド柱がスライドし係合し接続され、前記昇降スライド柱の底部の端面に下に伸びる第二ねじボルトがねじで係合し接続され、前記第二ねじボルトの底部の末端が前記昇降シュートの底壁に固定に嵌入する昇降電機と動力で係合し接続され、前記駆動構造が前記駆動溝にスライドし係合し設置される駆動スライドブロックと前記駆動スライドブロックにねじで係合し接続されるかつ左右に伸びて設置される駆動ねじボルトを含み、前記駆動ねじボルトの右側の伸長末端が駆動電機と動力で係合し接続され、前記駆動電機の外表面が前記駆動���の右側の壁に固定に嵌入し、前記駆動スライドブロックの頂部の末端が前記引き部品の左に近接する底部の端面と固定に係合し接続され、前記ケーブル接続スライドブロックの右側の端面に弾力性導電部が固定に設置され、前記収納溝の頂壁に第一緩衝板が固定に設置され、前記自己ロック構造が前記自己ロックシュートにスライドし係合し接続されるロッキングスライドブロックを含み、前記ロッキングスライドブロックに貫通溝が設置され、前記貫通溝に左右に伸長する接続柱がスライドし係合し接続され、前記接続柱の左右両側の伸長末端がそれぞれ前記自己ロックシュートの左右壁と固定に係合し接続され、前記自己ロックシュートの底部の末端が前記引き部品の底部の端面を貫通するかつ外界と連通し、前記接続柱の上側の前記貫通溝に第三ばねが圧されて係合し接続され、前記ロッキングスライドブロックの頂部の末端が前記引き部品の頂部の端面外まで差出、前記昇降スライド柱の頂部に第二緩衝板が設置され、前記パワーバッテリー部品が前記第二緩衝板の頂部に取付けられ、前記パワーバッテリー部品の左側の端面に接続台が設置され、前記接続台の左側の端面に給電挿し溝が設置され、前記引き部品の左側の端面に前記第三溝と相対する調節電機が設置され、前記調節電機の左側の末端に前記引き部品の左側の端面外まで差し出る第二段車が動力で接続される。
【発明の詳細な説明】
【技術分野】
【０００１】
本発明はパワーバッテリー取付け固定技術に関し、具体的には、新型のパワーバッテリー装置に関する。
【背景技術】
【０００２】
エネルギーと環境保護がますます人々に重視されてくることに従って、各業界は省エネルギーと排出削減に関する措置を実行している。特に自動車業界では、生産面での省エネルギーと排出削減だけでなく、産品の開発中に省エネルギーと排出削減に効く自動車もトレンドになってくる。目の前に、国内外では各大手自動車企業が争って各自の新エネルギー自動車、特に混合パワー車を売出す。その中に電気エネルギーの来源は車にパワーバッテリーを一組増加することにある。現在に最も採用されるのは長方体の電池箱である。伝統的なパワーバッテリーはボルトによって固定されて取付けられ、そのために専用な工具を使って解体や取付けを行わなければならない。その操作方法が複雑である他、現有のパワーバッテリーが給電の接続の時にちゃんとケーブル接続しにくく、その安定性も低いため、パワーバッテリーの使用寿命に大きな影響をもたらし、したがって、快速にケーブル接続と解体のできる新型のパワーバッテリー装置が必要である。
【先行技術文献】
【特許文献】
【０００３】
【特許文献１】中国特許出願公開第102569899号明細書
【発明の概要】
【発明が解決しようとする課題】
【０００４】
本発明の目的は上記の背景技術に提出された問題を解決するための新型のパワーバッテリー装置を提供することにある。
【０００５】
本発明の新型のパワーバッテリー装置は、ボディに固定に取付けられる取付箱、引き部品とパワーバッテリー部品を含み、前記取付箱の右側の端面に収納溝が設置され、前記引き部品が前記収納溝にスライドし係合し接続され、前記収納溝の底壁に左側に伸びる駆動溝が設置され、前記駆動溝に前記引き部品と動力で係合し接続される駆動構造が設置され、前記収納溝の左側壁に第一溝が設置され、前記第一溝の下側にある前期収納溝の左側壁に第二溝が設置され、前記第二溝の底部の末端が前記駆動溝と連通し設置され、前記第二溝の左側壁に第三溝が連通し設置され、前記第一溝の左側壁に上下に伸びる押しスライド筐体が連通し設置され、前記押しスライド筐体の底部の末端が前記第三溝の頂部の末端との相対位置にあり、前記押しスライド筐体に押しスライドブロックがスライドし係合し接続され、前記押しスライドブロックの右側の端面に斜面押し溝が設置され、前記押しスライド筐体と前記第三溝の間に上下に伸びる第一ねじボルトが回転し係合し接続され、前記第一ねじボルトの頂部の末端が前記押しスライド筐体に挿入するかつ前記押しスライドブロックの底部の端面とねじで係合し接続され、前記第一ねじボルトの底部の末端に前記第三溝に挿入する第一段車が固定に設置され、前記第一溝にスライドブロックがスライドし係合し接続され、前記スライドブロックの右側の端面に接続溝が設置され、前記接続溝の左側壁に左に伸びるスルー溝が連通し設置され、前記スルー溝の左側の伸長末端が前記スライドブロックの左側の端面を貫通するかつ前記斜面押し溝と連通し設置され、  前記スルー溝にケーブル接続スライドブロックがスライドし係合し接続され、前記ケーブル接続スライドブロックの左側の末端に前記斜面押し溝に挿入するかつ圧されてスライドし係合し接続される斜面抵抗スライドブロックが固定に設置され、前記スルー溝の後側の前記スライドブロックに上下に伸びる導滑レバーがスライドし係合し接続され、前記スライドブロックの上側の前記導滑レバーの外表面に第一ばねが囲んで設置され、前記スルー溝の頂壁に案内溝が連通し設置され、前記案内溝に前記ケーブル接続スライドブロックと固定に係合し接続される案内ブロックがスライドし係合し接続され、前記案内ブロックの右側の前記案内溝に第二ばねが圧されて係合し接続され、前記引き部品の頂壁の端面に昇降シュートが設置され、前記昇降シュートの左側の前記引き部品の頂壁の端面に凸部が固定に設置され、前記昇降シュートの右側の前記引き部品の頂壁の端面に自己ロックシュートが設置され、前記自己ロックシュートに自己ロック構造が設置され、前記昇降シュートに昇降スライド柱がスライドし係合し接続され、前記昇降スライド柱の底部の端面に下に伸びる第二ねじボルトがねじで係合し接続され、前記第二ねじボルトの底部の末端が前記昇降シュートの底壁に固定に嵌入する昇降電機と動力で係合し接続される。
【０００６】
好ましい技術プランとして、前記指摘部品が前記横様シュートの頂端壁に設置される押出溝と前記堤体の頂端面に設置されるランプ保有溝を含み、前記押出溝と前記ランプ保有溝の間に右スライド溝が連通され、前記押出溝の頂端壁にばね溝が設置され、前記ばね溝に押出ばねが設置され、前記右スライド溝に上下に昇降できる右スライドブロックが設置され、前記押出溝に前記右スライドブロックの底端と固定に接続される押出ブロックが設置され、前記ランプ保有溝に前記右スライドブロックの頂端と固定に接続されるＬＥＤ指示ランプが設置され、前記押出ばねの頂端が前記ばね溝の頂端壁と固定に接続され、前記押出ばねの底端が前記押出ブロックの頂端面と固定に接続され、前記押出ばねが前記押出ブロックを下へ圧することに用いられ、前記押出ブロックの左端が前記閉鎖スライドブロックの上に位置し、前記防護部品がキャノピフードと前記キャノピフードの左右両端に設置される凸耳部を含み、前記凸耳部が螺子釘を通じて前記堤体の頂部と固定に接続され、前記キャノピフードが前記ランプ保有溝の外部に取付けられる。
【０００７】
更の技術プランとして、前記ケーブル接続スライドブロックの右側の端面に弾力性導電部が固定に設置される。
【０００８】
更の技術プランとして、前記収納溝の頂壁に第一緩衝板が固定に設置される。
【０００９】
更の技術プランとして、前記自己ロック構造が前記自己ロックシュートにスライドし係合し接続されるロッキングスライドブロックを含み、前記ロッキングスライドブロックに貫通溝が設置され、前記貫通溝に左右に伸長する接続柱がスライドし係合し接続され、前記接続柱の左右両側の伸長末端がそれぞれ前記自己ロックシュートの左右壁と固定に係合し接続され、前記自己ロックシュートの底部の末端が前記引き部品の底部の端面を貫通するかつ外界と連通し、前記接続柱の上側の前記貫通溝に第三ばねが圧されて係合し接続され、前記ロッキングスライドブロックの頂部の末端が前記引き部品の頂部の端面外まで差出る。
【００１０】
更の技術プランとして、第二緩衝板の頂部に取付けられ、前記パワーバッテリー部品の左側の端面に接続台が設置され、前記接続台の左側の端面に給電挿し溝が設置される。
【００１１】
更の技術プランとして、前記引き部品の左側の端面に前記第三溝と相対する調節電機が設置され、前記調節電機の左側の末端に前記引き部品の左側の端面外まで差し出る第二段車が動力で接続される。
【発明の効果】
【００１２】
本発明の有益効果は：本発明は構造が簡単で、操作が便利で、駆動電機を通じて駆動ねじボルトが駆動スライドブロックを連れて駆動溝内の左側へスライドし、この時に、駆動スライドブロックが駆動溝内の一番左側に着いたまでに駆動スライドブロックによって引き部品を次第に収納溝に挿入させ、この時に、駆動スライドブロックによって引き部品の左側の末端と引き部品の頂部の凸部を完全に第二溝に挿入させ、同時に、引き部品によって第二段車を最大限度に第三溝に挿入させるかつ第一段車と動力で係合し接続させ、この時に、引き部品がパワーバッテリー部品を連れて完全に収納溝に滑り込むかつパワーバッテリー部品の左側の末端の接続台を完全に接続溝挿入させ、同時に、給電挿し溝とスルー溝を完全に相対させ、この時に、ロッキングスライドブロックの底部の末端を収納溝の底壁と当たり合ってスライドし係合し接続させ、その上でロッキングスライドブロックの安定なロッキング作動を確保し、それから昇降電機によって第二ねじボルトを回転させ、第二ねじボルトによって昇降スライド柱が第二緩衝板と第二緩衝板の頂部のパワーバッテリー部品を連れて上へスライドさせ、同時に、接続台によってスライドブロックを第一ばねの圧力を抵抗して第一溝の頂部へスライドさせ、この時に、パワーバッテリー部品の頂部の末端と第一緩衝板が完全に圧し合って係合し接続するまでにスライドブロックによってケーブル接続スライドブロックの左側の末端の斜面抵抗スライドブロックを斜面押し溝の頂部へスライドさせ、この時に、昇降電機の回転を停止し、同時に調節電機によって第二段車を回転させ、第二段車によって第一段車と第一ねじボルトを回転させ、その上で第一ねじボルトによって押しスライドブロックを押しスライド筐体の頂部へスライドさせ、同時に、斜面押し溝の斜面と斜面抵抗スライドブロックの斜面を当たり合ってスライドし係合し作動させ、この時に、斜面抵抗スライドブロックによってケーブル接続スライドブロックとケーブル接続スライドブロックの頂部の案内ブロックを第二ばねの圧力を抵抗して右側へスライドさせ、同時に、ケーブル接続スライドブロックによって導電部を給電挿し溝に挿入させ、これにより自動給電の接続作動を完成し、これにより引き部品の挿入や差出作動及び安定なロッキング作動を制御でき、パワーバッテリー部品の快速な取付けと解体を実現し、作動効率とパワーバッテリー部品の取り付ける安定性を大きく高める。
【図面の簡単な説明】
【００１３】
【図１】図1は本発明の新型のパワーバッテリー装置の外部相対構造概略図である。
【図２】図2は本発明の取付け箱の内部構造概略図である。
【発明を実施するための形態】
【００１４】
下記に図1〜2を合わせて本発明について詳しく説明する。
【００１５】
図1〜2を参照し、本発明の実施例の新型のパワーバッテリー装置は、ボディに固定に取付けられる取付箱6、引き部品8とパワーバッテリー部品7を含み、前記取付箱6の右側の端面に収納溝61が設置され、前記引き部品8が前記収納溝61にスライドし係合し接続され、前記収納溝61の底壁に左側に伸びる駆動溝62が設置され、前記駆動溝62に前記引き部品8と動力で係合し接続される駆動構造が設置され、前記収納溝61の左側壁に第一溝65が設置され、前記第一溝65の下側にある前期収納溝61の左側壁に第二溝63が設置され、前記第二溝63の底部の末端が前記駆動溝62と連通し設置され、前記第二溝63の左側壁に第三溝64が連通し設置され、前記第一溝65の左側壁に上下に伸びる押しスライド筐体66が連通し設置され、前記押しスライド筐体66の底部の末端が前記第三溝64の頂部の末端との相対位置にあり、前記押しスライド筐体66に押しスライドブロック661がスライドし係合し接続され、前記押しスライドブロック661の右側の端面に斜面押し溝662が設置され、前記押しスライド筐体66と前記第三溝64の間に上下に伸びる第一ねじボルト642が回転し係合し接続され、前記第一ねじボルト642の頂部の末端が前記押しスライド筐体66に挿入するかつ前記押しスライドブロック661の底部の端面とねじで係合し接続され、前記第一ねじボルト642の底部の末端に前記第三溝64に挿入する第一段車641が固定に設置され、前記第一溝65にスライドブロック651がスライドし係合し接続され、前記スライドブロック651の右側の端面に接続溝653が設置され、前記接続溝653の左側壁に左に伸びるスルー溝655が連通し設置され、前記スルー溝655の左側の伸長末端が前記スライドブロック651の左側の端面を貫通するかつ前記斜面押し溝662と連通し設置され、  前記スルー溝655にケーブル接続スライドブロック656がスライドし係合し接続され、前記ケーブル接続スライドブロック656の左側の末端に前記斜面押し溝662に挿入するかつ圧されてスライドし係合し接続される斜面抵抗スライドブロック657が固定に設置され、前記スルー溝655の後側の前記スライドブロック651に上下に伸びる導滑レバー652がスライドし係合し接続され、前記スライドブロック651の上側の前記導滑レバー652の外表面に第一ばね654が囲んで設置され、前記スルー溝655の頂壁に案内溝659が連通し設置され、前記案内溝659に前記ケーブル接続スライドブロック656と固定に係合し接続される案内ブロック6591がスライドし係合し接続され、前記案内ブロック6591の右側の前記案内溝659に第二ばね6592が圧されて係合し接続され、前記引き部品8の頂壁の端面に昇降シュート82が設置され、前記昇降シュート82の左側の前記引き部品8の頂壁の端面に凸部が固定に設置され、前記昇降シュート82の右側の前記引き部品8の頂壁の端面に自己ロックシュート83が設置され、前記自己ロックシュート83に自己ロック構造が設置され、前記昇降シュート82に昇降スライド柱821がスライドし係合し接続され、前記昇降スライド柱821の底部の端面に下に伸びる第二ねじボルト822がねじで係合し接続され、前記第二ねじボルト822の底部の末端が前記昇降シュート82の底壁に固定に嵌入する昇降電機823と動力で係合し接続される。
【００１６】
有益なまた例を示すように、前記駆動構造が前記駆動溝62にスライドし係合し設置される駆動スライドブロック622と前記駆動スライドブロック622にねじで係合し接続されるかつ左右に伸びて設置される駆動ねじボルト621を含み、前記駆動ねじボルト621の右側の伸長末端が駆動電機623と動力で係合し接続され、前記駆動電機823の外表面が前記駆動溝62の右側の壁に固定に嵌入し、前記駆動スライドブロック622の頂部の末端が前記引き部品8の左に近接する底部の端面と固定に係合し接続され、これにより引き部品8の挿入や差し出を自動に制御することを実現し、作動効率を大きく高める。
【００１７】
有益なまた例を示すように、前記ケーブル接続スライドブロック656の右側の端面に弾力性導電部658が固定に設置され、これにより給電接続の安定性を高める。
【００１８】
有益なまた例を示すように、前記収納溝61の頂壁に第一緩衝板611が固定に設置され、これによりパワーバッテリー部品7の強固性を高める。
【００１９】
有益なまた例を示すように、前記自己ロック構造が前記自己ロックシュート83にスライドし係合し接続されるロッキングスライドブロック831を含み、前記ロッキングスライドブロック831に貫通溝832が設置され、前記貫通溝832に左右に伸長する接続柱833がスライドし係合し接続され、前記接続柱833の左右両側の伸長末端がそれぞれ前記自己ロックシュート83の左右壁と固定に係合し接続され、前記自己ロックシュート83の底部の末端が前記引き部品8の底部の端面を貫通するかつ外界と連通し、前記接続柱833の上側の前記貫通溝832に第三ばね834が圧されて係合し接続され、前記ロッキングスライドブロック831の頂部の末端が前記引き部品8の頂部の端面外まで差出、これにより安定なロッキング作動を実現し、パワーバッテリー部品7の解体にも便利を与える。
【００２０】
有益なまた例を示すように、前記昇降スライド柱821の頂部に第二緩衝板824が設置され、前記パワーバッテリー部品7が前記第二緩衝板824の頂部に取付けられ、前記パワーバッテリー部品7の左側の端面に接続台71が設置され、前記接続台71の左側の端面に給電挿し溝72が設置され、これによりパワーバッテリー部品7の安定かつ固定な作動を強化する。
【００２１】
有益なまた例を示すように、前記引き部品8の左側の端面に前記第三溝64と相対する調節電機81が設置され、前記調節電機81の左側の末端に前記引き部品8の左側の端面外まで差し出る第二段車811が動力で接続される。
【００２２】
初期状態にある時、駆動スライドブロック622が駆動溝62の一番右側に位置し、この時に、昇降スライド柱821が完全に前記昇降シュート82に位置し、同時に、押しスライドブロック661が押しスライド筐体66の一番底部に位置し、この時に、スライドブロック651が第一ばね654に圧されて第一溝65の一番底部に位置し、同時に、案内ブロック6591が第二ばね6592に圧されて案内溝659の一番左側に位置し、この時に、案内ブロック6591の底部のケーブル接続スライドブロック656が斜面抵抗スライドブロック657を連れて最大限度に斜面押し溝662に挿入し、同時に、ケーブル接続スライドブロック656によって導電部658を完全にスルー溝655に位置させ、この時に、パワーバッテリー部品7が第二緩衝板824の頂部に位置し、パワーバッテリー部品7を凸部とロッキングスライドブロック831の間に位置させ、同時に、ロッキングスライドブロック831が第三ばね834に圧されてロッキングスライドブロック831の頂部の末端が最大限に引き部品8の頂部の端面外まで差出、この時に、ロッキングスライドブロック831の左側の端面がパワーバッテリー部品7の右側の端面と当たり合い、同時に、パワーバッテリー部品7の左側の接続台71と接続溝653を完全に相対する位置に位置させる。
【００２３】
取り付ける時、駆動電機623を通じて駆動ねじボルト621が駆動スライドブロック622を連れて駆動溝62内の左側へスライドし、この時に、駆動スライドブロック622が駆動溝62内の一番左側に着いたまでに駆動スライドブロック622によって引き部品8を次第に収納溝61に挿入させ、この時に、駆動スライドブロック622によって引き部品8の左側の末端と引き部品8の頂部の凸部を完全に第二溝63に挿入させ、同時に、引き部品8によって第二段車811を最大限度に第三溝64に挿入させるかつ第一段車641と動力で係合し接続させ、この時に、引き部品8がパワーバッテリー部品7を連れて完全に収納溝61に滑り込むかつパワーバッテリー部品7の左側の末端の接続台71を完全に接続溝653挿入させ、同時に、給電挿し溝72とスルー溝655を完全に相対させ、この時に、ロッキングスライドブロック831の底部の末端を収納溝61の底壁と当たり合ってスライドし係合し接続させ、その上でロッキングスライドブロック831の安定なロッキング作動を確保し、それから昇降電機によって第二ねじボルト822を回転させ、第二ねじボルト822によって昇降スライド柱821が第二緩衝板824と第二緩衝板824の頂部のパワーバッテリー部品7を連れて上へスライドさせ、同時に、接続台71によってスライドブロック651を第一ばねの圧力を抵抗して第一溝65の頂部へスライドさせ、この時に、パワーバッテリー部品7の頂部の末端と第一緩衝板611が完全に圧し合って係合し接続するまでにスライドブロック651によってケーブル接続スライドブロック656の左側の末端の斜面抵抗スライドブロック657を斜面押し溝662の頂部へスライドさせ、この時に、昇降電機823の回転を停止し、同時に調節電機81によって第二段車811を回転させ、第二段車811によって第一段車641と第一ねじボルト642を回転させ、その上で第一ねじボルト642によって押しスライドブロック661を押しスライド筐体66の頂部へスライドさせ、同時に、斜面押し溝622の斜面と斜面抵抗スライドブロック657の斜面を当たり合ってスライドし係合し作動させ、この時に、斜面抵抗スライドブロック657によってケーブル接続スライドブロック656とケーブル接続スライドブロック656の頂部の案内ブロック6591を第二ばねの圧力を抵抗して右側へスライドさせ、同時に、ケーブル接続スライドブロック656によって導電部658を給電挿し溝72に挿入させ、これにより自動給電の接続作動を完成する
【図１】
2019207851.tif 000003
【図２】
2019207851.tif 000004
【手続補正書】
【提出日】平成31年2月14日(2019.2.14)
【手続補正１】
【補正対象書類名】特許請求の範囲
【補正対象項目名】請求項１
【補正方法】変更
【補正の内容】
【請求項１】
ボディに固定的に取付けられる取付箱、引き部品とパワーバッテリー部品を含み、その特徴は：前記取付箱の右側の端面に収納溝が設置され、前記引き部品が前記収納溝にスライドし係合し接続され、前記収納溝の底壁に左側に伸びる駆動溝が設置され、前記駆動溝に前記引き部品と動力が伝達できるように係合し接続される駆動構造が設置され、前記収納溝の左側壁に第一溝が設置され、前記第一溝の下側にある前記収納溝の左側壁に第二溝が設置され、前記第二溝の底部の末端が前記駆動溝と連通し設置され、前記第二溝の左側壁に第三溝が連通し設置され、前記第一溝の左側壁に上下に伸びる押しスライド筐体が連通し設置され、前記押しスライド筐体の底部の末端が前記第三溝の頂部の末端との相対位置にあり、前記押しスライド筐体に押しスライドブロックがスライドし係合し接続され、前記押しスライドブロックの右側の端面に斜面押し溝が設置され、前記押しスライド筐体と前記第三溝の間に上下に伸びる第一ねじボルトが回転し係合し接続され、前記第一ねじボルトの頂部の末端が前記押しスライド筐体に挿入され、かつ前記押しスライドブロックの底部の端面とねじで係合し接続され、前記第一ねじボルトの底部の末端に前記第三溝に挿入する第一段車が固定的に設置され、前記第一溝にスライドブロックがスライドし係合し接続され、前記スライドブロックの右側の端面に接続溝が設置され、前記接続溝の左側壁に左に伸びるスルー溝が連通し設置され、前記スルー溝の左側の伸長末端が前記スライドブロックの左側の端面を貫通し、かつ前記斜面押し溝と連通し設置され、 前記スルー溝にケーブル接続スライドブロックがスライドし係合し接続され、前記ケーブル接続スライドブロックの左側の末端に前記斜面押し溝に挿入され、かつ圧されてスライドし係合し接続される斜面抵抗スライドブロックが固定的に設置され、前記スルー溝の後側の前記スライドブロックに上下に伸びる導滑レバーがスライドし係合し接続され、前記スライドブロックの上側の前記導滑レバーの外表面に第一ばねが囲んで設置され、前記スルー溝の頂壁に案内溝が連通し設置され、前記案内溝に前記ケーブル接続スライドブロックと固定的に係合し接続される案内ブロックがスライドし係合し接続され、前記案内ブロックの右側の前記案内溝に第二ばねが圧されて係合し接続され、前記引き部品の頂壁の端面に昇降シュートが設置され、前記昇降シュートの左側の前記引き部品の頂壁の端面に凸部が固定的に設置され、前記昇降シュートの右側の前記引き部品の頂壁の端面に自己ロックシュートが設置され、前記自己ロックシュートに自己ロック構造が設置され、前記昇降シュートに昇降スライド柱がスライドし係合し接続され、前記昇降スライド柱の底部の端面に下に伸びる第二ねじボルトがねじで係合し接続され、前記第二ねじボルトの底部の末端が前記昇降シュートの底壁に固定的に嵌入する昇降電機と動力が伝達できるように係合し接続され、前記駆動構造が前記駆動溝にスライドし係合し設置される駆動スライドブロックと前記駆動スライドブロックにねじで係合し接続されるかつ左右に伸びて設置される駆動ねじボルトを含み、前記駆動ねじボルトの右側の伸長末端が駆動電機と動力が伝達できるように係合し接続さ��、前記駆動電機の外表面が前記駆動溝の右側の壁に固定的に嵌入し、前記駆動スライドブロックの頂部の末端が前記引き部品の左に近接する底部の端面と固定的に係合し接続され、前記ケーブル接続スライドブロックの右側の端面に弾力性導電部が固定的に設置され、前記収納溝の頂壁に第一緩衝板が固定的に設置され、前記自己ロック構造が前記自己ロックシュートにスライドし係合し接続されるロッキングスライドブロックを含み、前記ロッキングスライドブロックに貫通溝が設置され、前記貫通溝に左右に伸長する接続柱がスライドし係合し接続され、前記接続柱の左右両側の伸長末端がそれぞれ前記自己ロックシュートの左右壁と固定的に係合し接続され、前記自己ロックシュートの底部の末端が前記引き部品の底部の端面を貫通し、かつ外界と連通し、前記接続柱の上側の前記貫通溝に第三ばねが圧されて係合し接続され、前記ロッキングスライドブロックの頂部の末端が前記引き部品の頂部の端面外まで差出、前記昇降スライド柱の頂部に第二緩衝板が設置され、前記パワーバッテリー部品が前記第二緩衝板の頂部に取付けられ、前記パワーバッテリー部品の左側の端面に接続台が設置され、前記接続台の左側の端面に給電挿し溝が設置され、前記引き部品の左側の端面に前記第三溝と相対する調節電機が設置され、前記調節電機の左側の末端に前記引き部品の左側の端面外まで差し出る第二段車が動力が伝達できるように接続されることを特徴とし；
初期状態にある時、駆動スライドブロックが駆動溝の一番右側に位置し、この時に、昇降スライド柱が完全に前記昇降シュートに位置し、同時に、押しスライドブロックが押しスライド筐体の一番底部に位置し、この時に、スライドブロックが第一ばねに圧されて第一溝の一番底部に位置し、同時に、案内ブロックが第二ばねに圧されて案内溝の一番左側に位置し、この時に、案内ブロックの底部のケーブル接続スライドブロックが斜面抵抗スライドブロックを連れて最大限度に斜面押し溝に挿入し、同時に、ケーブル接続スライドブロックによって導電部を完全にスルー溝に位置させ、この時に、パワーバッテリー部品が第二緩衝板の頂部に位置し、パワーバッテリー部品を凸部とロッキングスライドブロックの間に位置させ、同時に、ロッキングスライドブロックが第三ばねに圧されてロッキングスライドブロックの頂部の末端が最大限に引き部品の頂部の端面外まで差出、この時に、ロッキングスライドブロックの左側の端面がパワーバッテリー部品の右側の端面と当たり合い、同時に、パワーバッテリー部品の左側の接続台と接続溝を完全に相対する位置に位置させ、
取り付ける時、駆動電機を通じて駆動ねじボルトが駆動スライドブロックを連れて駆動溝内の左側へスライドし、この時に、駆動スライドブロックが駆動溝内の一番左側に着いたまでに駆動スライドブロックによって引き部品を次第に収納溝に挿入させ、この時に、駆動スライドブロックによって引き部品の左側の末端と引き部品の頂部の凸部を完全に第二溝に挿入させ、同時に、引き部品によって第二段車を最大限度に第三溝に挿入させるかつ第一段車と動力で係合し接続させ、この時に、引き部品がパワーバッテリー部品を連れて完全に収納溝に滑り込むかつパワーバッテリー部品の左側の末端の接続台を完全に接続溝挿入させ、同時に、給電挿し溝とスルー溝を完全に相対させ、この時に、ロッキングスライドブロックの底部の末端を収納溝の底壁と当たり合ってスライドし係合し接続させ、その上でロッキングスライドブロックの安定なロッキング作動を確保し、それから昇降電機によって第二ねじボルトを回転させ、第二ねじボルトによって昇降スライド柱が第二緩衝板と第二緩衝板の頂部のパワーバッテリー部品を連れて上へスライドさせ、同時に、接続台によってスライドブロックを第一ばねの圧力を抵抗して第一溝の頂部へスライドさせ、この時に、パワーバッテリー部品の頂部の末端と第一緩衝板が完全に圧し合って係合し接続するまでにスライドブロックによってケーブル接続スライドブロックの左側の末端の斜面抵抗スライドブロックを斜面押し溝の頂部へスライドさせ、この時に、昇降電機の回転を停止し、同時に調節電機によって第二段車を回転させ、第二段車によって第一段車と第一ねじボルトを回転させ、その上で第一ねじボルトによって押しスライドブロックを押しスライド筐体の頂部へスライドさせ、同時に、斜面押し溝の斜面と斜面抵抗スライドブロックの斜面を当たり合ってスライドし係合し作動させ、この時に、斜面抵抗スライドブロックによってケーブル接続スライドブロックとケーブル接続スライドブロックの頂部の案内ブロックを第二ばねの圧力を抵抗して右側へスライドさせ、同時に、ケーブル接続スライドブロックによって導電部を給電挿し溝に挿入させ、これにより自動給電の接続作動を完成することを含む新型のパワーバッテリー装置。
【手続補正２】
【補正対象書類名】明細書
【補正対象項目名】全文
【補正方法】変更
【補正の内容】
【発明の詳細な説明】
【技術分野】
【０００１】
本発明はパワーバッテリー取付け固定技術に関し、具体的には、新型のパワーバッテリー装置に関する。
【背景技術】
【０００２】
エネルギーと環境保護がますます人々に重視されてくることに従って、各業界は省エネルギーと排出削減に関する措置を実行している。特に自動車業界では、生産面での省エネルギーと排出削減だけでなく、産品の開発中に省エネルギーと排出削減に効く自動車もトレンドになってくる。目の前に、国内外では各大手自動車企業が争って各自の新エネルギー自動車、特に混合パワー車を売出す。その中に電気エネルギーの来源は車にパワーバッテリーを一組増加することにある。現在に最も採用されるのは長方体の電池箱である。伝統的なパワーバッテリーはボルトによって固定されて取付けられ、そのために専用な工具を使って解体や取付けを行わなければならない。その操作方法が複雑である他、現有のパワーバッテリーが給電の接続の時にちゃんとケーブル接続しにくく、その安定性も低いため、パワーバッテリーの使用寿命に大きな影響をもたらし、したがって、快速にケーブル接続と解体のできる新型のパワーバッテリー装置が必要である。
【先行技術文献】
【特許文献】
【０００３】
【特許文献１】中国特許出願公開第102569899号明細書
【発明の概要】
【発明が解決しようとする課題】
【０００４】
本発明の目的は上記の背景技術に提出された問題を解決するための新型のパワーバッテリー装置を提供することにある。
【０００５】
本発明の新型のパワーバッテリー装置は、ボディに固定的に取付けられる取付箱、引き部品とパワーバッテリー部品を含み、前記取付箱の右側の端面に収納溝が設置され、前記引き部品が前記収納溝にスライドし係合し接続され、前記収納溝の底壁に左側に伸びる駆動溝が設置され、前記駆動溝に前記引き部品と動力が伝達できるように係合し接続される駆動構造が設置され、前記収納溝の左側壁に第一溝が設置され、前記第一溝の下側にある前記収納溝の左側壁に第二溝が設置され、前記第二溝の底部の末端が前記駆動溝と連通し設置され、前記第二溝の左側壁に第三溝が連通し設置され、前記第一溝の左側壁に上下に伸びる押しスライド筐体が連通し設置され、前記押しスライド筐体の底部の末端が前記第三溝の頂部の末端との相対位置にあり、前記押しスライド筐体に押しスライドブロックがスライドし係合し接続され、前記押しスライドブロックの右側の端面に斜面押し溝が設置され、前記押しスライド筐体と前記第三溝の間に上下に伸びる第一ねじボルトが回転し係合し接続され、前記第一ねじボルトの頂部の末端が前記押しスライド筐体に挿入され、かつ前記押しスライドブロックの底部の端面とねじで係合し接続され、前記第一ねじボルトの底部の末端に前記第三溝に挿入する第一段車が固定的に設置され、前記第一溝にスライドブロックがスライドし係合し接続され、前記スライドブロックの右側の端面に接続溝が設置され、前記接続溝の左側壁に左に伸びるスルー溝が連通し設置され、前記スルー溝の左側の伸長末端が前記スライドブロックの左側の端面を貫通し、かつ前記斜面押し溝と連通し設置され、 前記スルー溝にケーブル接続スライドブロックがスライドし係合し接続され、前記ケーブル接続スライドブロックの左側の末端に前記斜面押し溝に挿入され、かつ圧されてスライドし係合し接続される斜面抵抗スライドブロックが固定的に設置され、前記スルー溝の後側の前記スライドブロックに上下に伸びる導滑レバーがスライドし係合し接続され、前記スライドブロックの上側の前記導滑レバーの外表面に第一ばねが囲んで設置され、前記スルー溝の頂壁に案内溝が連通し設置され、前記案内溝に前記ケーブル接続スライドブロックと固定的に係合し接続される案内ブロックがスライドし係合し接続され、前記案内ブロックの右側の前記案内溝に第二ばねが圧されて係合し接続され、前記引き部品の頂壁の端面に昇降シュートが設置され、前記昇降シュートの左側の前記引き部品の頂壁の端面に凸部が固定的に設置され、前記昇降シュートの右側の前記引き部品の頂壁の端面に自己ロックシュートが設置され、前記自己ロックシュートに自己ロック構造が設置され、前記昇降シュートに昇降スライド柱がスライドし係合し接続され、前記昇降スライド柱の底部の端面に下に伸びる第二ねじボルトがねじで係合し接続され、前記第二ねじボルトの底部の末端が前記昇降シュートの底壁に固定的に嵌入する昇降電機と動力が伝達できるように係合し接続される。
【０００６】
好ましい技術プランとして、前記指摘部品が前記横様シュートの頂端壁に設置される押出溝と前記堤体の頂端面に設置されるランプ保有溝を含み、前記押出溝と前記ランプ保有溝の間に右スライド溝が連通され、前記押出溝の頂端壁にばね溝が設置され、前記ばね溝に押出ばねが設置され、前記右スライド溝に上下に昇降できる右スライドブロックが設置され、前記押出溝に前記右スライドブロックの底端と固定的に接続される押出ブロックが設置され、前記ランプ保有溝に前記右スライドブロックの頂端と固定的に接続されるＬＥＤ指示ランプが設置され、前記押出ばねの頂端が前記ばね溝の頂端壁と固定的に接続され、前記押出ばねの底端が前記押出ブロックの頂端面と固定的に接続され、前記押出ばねが前記押出ブロックを下へ圧することに用いられ、前記押出ブロックの左端が前記閉鎖スライドブロックの上に位置し、前記防護部品がキャノピフードと前記キャノピフードの左右両端に設置される凸耳部を含み、前記凸耳部が螺子釘を通じて前記堤体の頂部と固定的に接続され、前記キャノピフードが前記ランプ保有溝の外部に取付けられる。
【０００７】
更の技術プランとして、前記ケーブル接続スライドブロックの右側の端面に弾力性導電部が固定的に設置される。
【０００８】
更の技術プランとして、前記収納溝の頂壁に第一緩衝板が固定的に設置される。
【０００９】
更の技術プランとして、前記自己ロック構造が前記自己ロックシュートにスライドし係合し接続されるロッキングスライドブロックを含み、前記ロッキングスライドブロックに貫通溝が設置され、前記貫通溝に左右に伸長する接続柱がスライドし係合し接続され、前記接続柱の左右両側の伸長末端がそれぞれ前記自己ロックシュートの左右壁と固定的に係合し接続され、前記自己ロックシュートの底部の末端が前記引き部品の底部の端面を貫通し、かつ外界と連通し、前記接続柱の上側の前記貫通溝に第三ばねが圧されて係合し接続され、前記ロッキングスライドブロックの頂部の末端が前記引き部品の頂部の端面外まで差出る。
【００１０】
更の技術プランとして、第二緩衝板の頂部に取付けられ、前記パワーバッテリー部品の左側の端面に接続台が設置され、前記接続台の左側の端面に給電挿し溝が設置される。
【００１１】
更の技術プランとして、前記引き部品の左側の端面に前記第三溝と相対する調節電機が設置され、前記調節電機の左側の末端に前記引き部品の左側の端面外まで差し出る第二段車が動力が伝達できるように接続される。
【発明の効果】
【００１２】
本発明の有益効果は：本発明は構造が簡単で、操作が便利で、駆動電機を通じて駆動ねじボルトが駆動スライドブロックを連れて駆動溝内の左側へスライドし、この時に、駆動スライドブロックが駆動溝内の一番左側に着いたまでに駆動スライドブロックによって引き部品を次第に収納溝に挿入させ、この時に、駆動スライドブロックによって引き部品の左側の末端と引き部品の頂部の凸部を完全に第二溝に挿入させ、同時に、引き部品によって第二段車を最大限度に第三溝に挿入させるかつ第一段車と動力で係合し接続させ、この時に、引き部品がパワーバッテリー部品を連れて完全に収納溝に滑り込むかつパワーバッテリー部品の左側の末端の接続台を完全に接続溝挿入させ、同時に、給電挿し溝とスルー溝を完全に相対させ、この時に、ロッキングスライドブロックの底部の末端を収納溝の底壁と当たり合ってスライドし係合し接続させ、その上でロッキングスライドブロックの安定なロッキング作動を確保し、それから昇降電機によって第二ねじボルトを回転させ、第二ねじボルトによって昇降スライド柱が第二緩衝板と第二緩衝板の頂部のパワーバッテリー部品を連れて上へスライドさせ、同時に、接続台によってスライドブロックを第一ばねの圧力を抵抗して第一溝の頂部へスライドさせ、この時に、パワーバッテリー部品の頂部の末端と第一緩衝板が完全に圧し合って係合し接続するまでにスライドブロックによってケーブル接続スライドブロックの左側の末端の斜面抵抗スライドブロックを斜面押し溝の頂部へスライドさせ、この時に、昇降電機の回転を停止し、同時に調節電機によって第二段車を回転させ、第二段車によって第一段車と第一ねじボルトを回転させ、その上で第一ねじボルトによって押しスライドブロックを押しスライド筐体の頂部へスライドさせ、同時に、斜面押し溝の斜面と斜面抵抗スライドブロックの斜面を当たり合ってスライドし係合し作動させ、この時に、斜面抵抗スライドブロックによってケーブル接続スライドブロックとケーブル接続スライドブロックの頂部の案内ブロックを第二ばねの圧力を抵抗して右側へスライドさせ、同時に、ケーブル接続スライドブロックによって導電部を給電挿し溝に挿入させ、これにより自動給電の接続作動を完成し、これにより引き部品の挿入や差出作動及び安定なロッキング作動を制御でき、パワーバッテリー部品の快速な取付けと解体を実現し、作動効率とパワーバッテリー部品の取り付ける安定性を大きく高める。
【図面の簡単な説明】
【００１３】
【図１】図1は本発明の新型のパワーバッテリー装置の外部相対構造概略図である。
【図２】図2は本発明の取付け箱の内部構造概略図である。
【発明を実施するための形態】
【００１４】
下記に図1~2をあわせて本発明について詳しく説明し、便利に説明するために、下記の方向を以下のように規定する：以下に述べる上下左右前後の方向と図1の自身投影関係の上下左右前後の方向とが一致である。
【００１５】
図1〜2を参照し、本発明の実施例の新型のパワーバッテリー装置は、ボディに固定的に取付けられる取付箱6、引き部品8とパワーバッテリー部品7を含み、前記取付箱6の右側の端面に収納溝61が設置され、前記引き部品8が前記収納溝61にスライドし係合し接続され、前記収納溝61の底壁に左側に伸びる駆動溝62が設置され、前記駆動溝62に前記引き部品8と動力が伝達できるように係合し接続される駆動構造が設置され、前記収納溝61の左側壁に第一溝65が設置され、前記第一溝65の下側にある前記収納溝61の左側壁に第二溝63が設置され、前記第二溝63の底部の末端が前記駆動溝62と連通し設置され、前記第二溝63の左側壁に第三溝64が連通し設置され、前記第一溝65の左側壁に上下に伸びる押しスライド筐体66が連通し設置され、前記押しスライド筐体66の底部の末端が前記第三溝64の頂部の末端との相対位置にあり、前記押しスライド筐体66に押しスライドブロック661がスライドし係合し接続され、前記押しスライドブロック661の右側の端面に斜面押し溝662が設置され、前記押しスライド筐体66と前記第三溝64の間に上下に伸びる第一ねじボルト642が回転し係合し接続され、前記第一ねじボルト642の頂部の末端が前記押しスライド筐体66に挿入され、かつ前記押しスライドブロック661の底部の端面とねじで係合し接続され、前記第一ねじボルト642の底部の末端に前記第三溝64に挿入する第一段車641が固定的に設置され、前記第一溝65にスライドブロック651がスライドし係合し接続され、前記スライドブロック651の右側の端面に接続溝653が設置され、前記接続溝653の左側壁に左に伸びるスルー溝655が連通し設置され、前記スルー溝655の左側の伸長末端が前記スライドブロック651の左側の端面を貫通し、かつ前記斜面押し溝662と連通し設置され、 前記スルー溝655にケーブル接続スライドブロック656がスライドし係合し接続され、前記ケーブル接続スライドブロック656の左側の末端に前記斜面押し溝662に挿入され、かつ圧されてスライドし係合し接続される斜面抵抗スライドブロック657が固定的に設置され、前記スルー溝655の後側の前記スライドブロック651に上下に伸びる導滑レバー652がスライドし係合し接続され、前記スライドブロック651の上側の前記導滑レバー652の外表面に第一ばね654が囲んで設置され、前記スルー溝655の頂壁に案内溝659が連通し設置され、前記案内溝659に前記ケーブル接続スライドブロック656と固定的に係合し接続される案内ブロック6591がスライドし係合し接続され、前記案内ブロック6591の右側の前記案内溝659に第二ばね6592が圧されて係合し接続され、前記引き部品8の頂壁の端面に昇降シュート82が設置され、前記昇降シュート82の左側の前記引き部品8の頂壁の端面に凸部が固定的に設置され、前記昇降シュート82の右側の前記引き部品8の頂壁の端面に自己ロックシュート83が設置され、前記自己ロックシュート83に自己ロック構造が設置され、前記昇降シュート82に昇降スライド柱821がスライドし係合し接続され、前記昇降スライド柱821の底部の端面に下に伸びる第二ねじボルト822がねじで係合し接続され、前記第二ねじボルト822の底部の末端が前記昇降シュート82の底壁に固定的に嵌入する昇降電機823と動力が伝達できるように係合し接続される。
【００１６】
有益なまた例を示すように、前記駆動構造が前記駆動溝62にスライドし係合し設置される駆動スライドブロック622と前記駆動スライドブロック622にねじで係合し接続されるかつ左右に伸びて設置される駆動ねじボルト621を含み、前記駆動ねじボルト621の右側の伸長末端が駆動電機623と動力が伝達できるように係合し接続され、前記駆動電機823の外表面が前記駆動溝62の右側の壁に固定的に嵌入し、前記駆動スライドブロック622の頂部の末端が前記引き部品8の左に近接する底部の端面と固定的に係合し接続され、これにより引き部品8の挿入や差し出を自動に制御することを実現し、作動効率を大きく高める。
【００１７】
有益なまた例を示すように、前記ケーブル接続スライドブロック656の右側の端面に弾力性導電部658が固定的に設置され、これにより給電接続の安定性を高める。
【００１８】
有益なまた例を示すように、前記収納溝61の頂壁に第一緩衝板611が固定的に設置され、これによりパワーバッテリー部品7の強固性を高める。
【００１９】
有益なまた例を示すように、前記自己ロック構造が前記自己ロックシュート83にスライドし係合し接続されるロッキングスライドブロック831を含み、前記ロッキングスライドブロック831に貫通溝832が設置され、前記貫通溝832に左右に伸長する接続柱833がスライドし係合し接続され、前記接続柱833の左右両側の伸長末端がそれぞれ前記自己ロックシュート83の左右壁と固定的に係合し接続され、前記自己ロックシュート83の底部の末端が前記引き部品8の底部の端面を貫通し、かつ外界と連通し、前記接続柱833の上側の前記貫通溝832に第三ばね834が圧されて係合し接続され、前記ロッキングスライドブロック831の頂部の末端が前記引き部品8の頂部の端面外まで差出、これにより安定なロッキング作動を実現し、パワーバッテリー部品7の解体にも便利を与える。
【００２０】
有益なまた例を示すように、前記昇降スライド柱821の頂部に第二緩衝板824が設置され、前記パワーバッテリー部品7が前記第二緩衝板824の頂部に取付けられ、前記パワーバッテリー部品7の左側の端面に接続台71が設置され、前記接続台71の左側の端面に給電挿し溝72が設置され、これによりパワーバッテリー部品7の安定かつ固定な作動を強化する。
【００２１】
有益なまた例を示すように、前記引き部品8の左側の端面に前記第三溝64と相対する調節電機81が設置され、前記調節電機81の左側の末端に前記引き部品8の左側の端面外まで差し出る第二段車811が動力が伝達できるように接続される。
【００２２】
初期状態にある時、駆動スライドブロック622が駆動溝62の一番右側に位置し、この時に、昇降スライド柱821が完全に前記昇降シュート82に位置し、同時に、押しスライドブロック661が押しスライド筐体66の一番底部に位置し、この時に、スライドブロック651が第一ばね654に圧されて第一溝65の一番底部に位置し、同時に、案内ブロック6591が第二ばね6592に圧されて案内溝659の一番左側に位置し、この時に、案内ブロック6591の底部のケーブル接続スライドブロック656が斜面抵抗スライドブロック657を連れて最大限度に斜面押し溝662に挿入し、同時に、ケーブル接続スライドブロック656によって導電部658を完全にスルー溝655に位置させ、この時に、パワーバッテリー部品7が第二緩衝板824の頂部に位置し、パワーバッテリー部品7を凸部とロッキングスライドブロック831の間に位置させ、同時に、ロッキングスライドブロック831が第三ばね834に圧されてロッキングスライドブロック831の頂部の末端が最大限に引き部品8の頂部の端面外まで差出、この時に、ロッキングスライドブロック831の左側の端面がパワーバッテリー部品7の右側の端面と当たり合い、同時に、パワーバッテリー部品7の左側の接続台71と接続溝653を完全に相対する位置に位置させる。
【００２３】
取り付ける時、駆動電機623を通じて駆動ねじボルト621が駆動スライドブロック622を連れて駆動溝62内の左側へスライドし、この時に、駆動スライドブロック622が駆動溝62内の一番左側に着いたまでに駆動スライドブロック622によって引き部品8を次第に収納溝61に挿入させ、この時に、駆動スライドブロック622によって引き部品8の左側の末端と引き部品8の頂部の凸部を完全に第二溝63に挿入させ、同時に、引き部品8によって第二段車811を最大限度に第三溝64に挿入させるかつ第一段車641と動力で係合し接続させ、この時に、引き部品8がパワーバッテリー部品7を連れて完全に収納溝61に滑り込むかつパワーバッテリー部品7の左側の末端の接続台71を完全に接続溝653挿入させ、同時に、給電挿し溝72とスルー溝655を完全に相対させ、この時に、ロッキングスライドブロック831の底部の末端を収納溝61の底壁と当たり合ってスライドし係合し接続させ、その上でロッキングスライドブロック831の安定なロッキング作動を確保し、それから昇降電機によって第二ねじボルト822を回転させ、第二ねじボルト822によって昇降スライド柱821が第二緩衝板824と第二緩衝板824の頂部のパワーバッテリー部品7を連れて上へスライドさせ、同時に、接続台71によってスライドブロック651を第一ばねの圧力を抵抗して第一溝65の頂部へスライドさせ、この時に、パワーバッテリー部品7の頂部の末端と第一緩衝板611が完全に圧し合って係合し接続するまでにスライドブロック651によってケーブル接続スライドブロック656の左側の末端の斜面抵抗スライドブロック657を斜面押し溝662の頂部へスライドさせ、この時に、昇降電機823の回転を停止し、同時に調節電機81によって第二段車811を回転させ、第二段車811によって第一段車641と第一ねじボルト642を回転させ、その上で第一ねじボルト642によって押しスライドブロック661を押しスライド筐体66の頂部へスライドさせ、同時に、斜面押し溝622の斜面と斜面抵抗スライドブロック657の斜面を当たり合ってスライドし係合し作動させ、この時に、斜面抵抗スライドブロック657によってケーブル接続スライドブロック656とケーブル接続スライドブロック656の頂部の案内ブロック6591を第二ばねの圧力を抵抗して右側へスライドさせ、同時に、ケーブル接続スライドブロック656によって導電部658を給電挿し溝72に挿入させ、これにより自動給電の接続作動を完成する。
【手続補正書】
【提出日】令和1年5月6日(2019.5.6)
【手続補正１】
【補正対象書類名】特許請求の範囲
【補正対象項目名】請求項１
【補正方法】変更
【補正の内容】
【請求項１】
ボディに固定的に取付けられる取付箱、引き部品とパワーバッテリー部品を含むパワーバッテリ装置において、前記取付箱の対向する端面の一方に収納溝が設置され、前記引き部品が前記収納溝にスライドできるように係合され、前記収納溝の底壁に前記対向する端面の他方側に伸びる駆動溝が設置され、前記駆動溝に前記引き部品と動力が伝達できるように係合される駆動構造が設置され、前記収納溝の前記対向する端面の他方側の側壁に第一溝が設置され、前記第一溝の前記引き部品が設置される側にある前記収納溝の前記側壁に第二溝が設置され、前記第二溝の底部の末端が前記駆動溝と連通するように設置され、前記第二溝の側壁に第三溝が連通するように設置され、前記第一溝の前記側壁に前記端面が対向する方向と交差する方向に伸びる押しスライド筐体が連通するように設置され、前記押しスライド筐体の底部の末端が前記第三溝の頂部の末端との相対位置にあり、前記押しスライド筐体に押しスライドブロックがスライドできるように係合され、前記押しスライドブロックの前記一方側の端面に斜面押し溝が設置され、前記押しスライド筐体と前記第三溝の間に前記交差する方向に伸びる第一ねじボルトが回転できるように前記押しスライドブロックと係合され、前記第一ねじボルトの頂部の末端が前記押しスライド筐体に挿入され、かつ前記押しスライドブロックの底部とねじで係合され、前記第一ねじボルトの底部の末端に前記第三溝に挿入する第一段車が固定的に設置され、前記第一溝にスライドブロックがスライドできるように設置され、前記スライドブロックの前記一方側の端面に接続溝が設置され、前記接続溝の前記他方側の側壁に前記他方側に伸びるスルー溝が連通するように設置され、前記スルー溝の他方側の末端が前記スライドブロックの前記他方側の端面を貫通し、かつ前記斜面押し溝と連通するように設置され、
前記スルー溝にケーブル接続スライドブロックがスライドできるように係合され、前記ケーブル接続スライドブロックの他方側の末端に、前記斜面押し溝に挿入され、かつ圧されてスライドできるように係合される斜面抵抗スライドブロックが固定的に設置され、前記スライドブロックが前記交差する方向にスライドできるように前記交差する方向に伸びる導滑レバーが係合され、前記導滑レバーの外表面に第一ばねが囲んで設置され、前記スルー溝の頂壁に案内溝が連通するように設置され、前記案内溝に前記ケーブル接続スライドブロックと固定的に係合される案内ブロックがスライドできるように係合され、前記案内ブロックの前記一方側の前記案内溝に第二ばねが圧縮されて係合され、前記引き部品の頂壁の端面に昇降シュートが設置され、前記昇降シュートの前記他方側の前記引き部品の頂壁の端面に凸部が固定的に設置され、前記昇降シュートの前記一方側の前記引き部品の端部に自己ロックシュートが設置され、前記自己ロックシュートに自己ロック構造が設置され、前記昇降シュートは、スライドできるように前記引き部品と係合する昇降スライド柱を有し、前記昇降スライド柱の底部に前記引き部品と係合する第二ねじボルトを有し、前記第二ねじボルトの底部の末端が前記引き部品の昇降スライド柱側の端部に固定的に嵌入する昇降電機と動力が伝達できるように係合され、前記駆動構造が前記駆動溝にスライドできるように係合される駆動スライドブロックと前記駆動スライドブロックにねじで係合され、かつ前記端面が対向する方向に伸びて設置される駆動ねじボルトを含み、前記駆動ねじボルトの前記一方側の末端が駆動電機と動力が伝達できるように係合され、前記駆動電機の外表面が前記駆動溝の前記一方側の壁に固定的に嵌入し、前記駆動スライドブロックの頂部の末端が前記引き部品の前記他方側に近接する底部の端面と固定的に係合し接続され、前記ケーブル接続スライドブロックの前記一方側の端面に弾力性導電部が固定的に設置され、前記収納溝の頂壁に第一緩衝板が固定的に設置され、前記自己ロック構造は、前記自己ロックシュートにスライドできるように係合されるロッキングスライドブロックを含み、前記ロッキングスライドブロックに貫通溝が設置され、前記ロッキングスライドブロックは、前記貫通溝に前記端面が対向する方向に伸長する接続柱がスライドできるように係合され、前記接続柱の前記端面が対向する方向の両側の末端がそれぞれ前記自己ロックシュートの前記端面が対向する方向の両側の壁と固定的に係合され、前記自己ロックシュートの底部の末端が前記引き部品の底部の端面を貫通し、かつ外界と連通し、前記接続柱の前記ロッキングスライドブロックの頂部側の前記貫通溝に第三ばねが圧縮されて係合され、前記ロッキングスライドブロックの前記頂部の末端が前記引き部品の頂部の端面外まで差出され、前記昇降スライド柱の頂部に第二緩衝板が設置され、前記パワーバッテリー部品が前記第二緩衝板の頂部に取付けられ、前記パワーバッテリー部品の前記他方側の端面に接続台が設置され、前記接続台の前記他方側の端面に給電挿し溝が設置され、前記引き部品の前記他方側の端面に前記第三溝と相対する調節電機が設置され、前記調節電機の前記他方側の末端に前記引き部品の前記他方側の端面外まで差し出る第二段車が動力が伝達できるように接続されることを特徴とし、
初期状態にある時、前記駆動スライドブロックが前記駆動溝の一番前記一方側に位置し、この時に、前記昇降スライド柱が完全に前記引き部品側に位置し、同時に、前記押しスライドブロックが前記押しスライド筐体の一番底部に位置し、この時に、前記スライドブロックが前記第一ばねに押圧されて前記第一溝の一番底部に位置し、同時に、前記案内ブロックが前記第二ばねに押圧されて前記案内溝の一番前記他方側に位置し、この時に、前記案内ブロックの底部のケーブル接続スライドブロックが斜面抵抗スライドブロックを連れて最大限度に前記斜面押し溝に挿入し、同時に、前記ケーブル接続スライドブロックによって前記弾力性導電部を完全に前記スルー溝に位置させ、この時に、前記パワーバッテリー部品が前記第二緩衝板の頂部に位置し、前記パワーバッテリー部品を前記凸部と前記ロッキングスライドブロックの間に位置させ、同時に、前記ロッキングスライドブロックが前記第三ばねに押圧されて前記ロッキングスライドブロックの頂部の末端が最大限に前記引き部品の頂部の端面外まで差出され、この時に、前記ロッキングスライドブロックの前記他方側の端面が前記パワーバッテリー部品の前記一方側の端面と当たり合い、同時に、パワーバッテリー部品の前記他方側の接続台と前記接続溝を完全に相対する位置に位置させ、取り付ける時、前記駆動電機を通じて前記駆動ねじボルトが前記駆動スライドブロックを連れて前記駆動溝内の前記他方側へスライドし、この時に、前記駆動スライドブロックが前記駆動溝内の一番前記他方側に着くまでに前記駆動スライドブロックによって前記引き部品を次第に前記収納溝に挿入させ、この時に、前記駆動スライドブロックによって前記引き部品の前記他方側の末端と前記引き部品の頂部の前記凸部を完全に前記第二溝に挿入させ、同時に、前記引き部品によって前記第二段車を最大限度に前記第三溝に挿入させ、かつ第一段車と係合させ、この時に、前記引き部品が前記パワーバッテリー部品を連れて完全に前記収納溝に滑り込み、かつ前記パワーバッテリー部品の前記他方側の末端の前記接続台を完全に前記接続溝に挿入させ、同時に、前記給電挿し溝と前記スルー溝を完全に相対させ、この時に、前記ロッキングスライドブロックの底部の末端を前記収納溝の底壁と当たり合ってスライドさせ、それから前記昇降電機によって前記第二ねじボルトを回転させ、前記第二ねじボルトによって前記昇降スライド柱が前記第二緩衝板と前記第二緩衝板の頂部の前記パワーバッテリー部品を連れて上へスライドさせ、同時に、前記接続台によって前記スライドブロックを前記第一ばねの圧力に抵抗して前記第一溝の頂部へスライドさせ、この時に、前記パワーバッテリー部品の頂部の末端と前記第一緩衝板が完全に圧し合って係合するまでに前記スライドブロックによって前記ケーブル接続スライドブロックの前記他方側の末端の前記斜面抵抗スライドブロックを前記斜面押し溝の頂部へスライドさせ、この時に、前記昇降電機の回転を停止し、同時に前記調節電機によって前記第二段車を回転させ、前記第二段車によって前記第一段車と前記第一ねじボルトを回転させ、その上で前記第一ねじボルトによって前記押しスライドブロックを前記押しスライド筐体の頂部へスライドさせ、同時に、前記斜面押し溝の斜面と前記斜面抵抗スライドブロックの斜面を当たり合ってスライドさせ、この時に、前記斜面抵抗スライドブロックによって前記ケーブル接続スライドブロックと前記ケーブル接続スライドブロックの頂部の前記案内ブロックを前記第二ばねの圧力に抵抗して前記一方側へスライドさせ、同時に、前記ケーブル接続スライドブロックによって前記弾力性導電部を前記給電挿し溝に挿入させ、これにより自動給電の接続作動を完成することを含むパワーバッテリー装置。